(57)【要約】【課題】画像診断装置において、回転体と支持体との間に設けられてスキャンデータが送信される送信経路の一部で不具合が生じた場合でも、スキャンを停止させることなく続行し、しかも、得られる被検体の検出画像の品質を維持する。【解決手段】被検体の回りを回転する回転体１とこの回転体１を回転可能に支持する支持体２とを有し、回転体１に設けられたスキャンデータ取得部４で取得した被検体のスキャンデータを回転体１と支持体２との間に設けられた複数の送信経路２０を使用して回転体１側から支持体２側に送信する画像診断装置において、支持体２側で受信したスキャンデータに異常が有ると検出した場合、異常が有ると検出されたスキャンデータに対応付けられて回転体１側のスキャンデータ保存部５に保存されたスキャンデータを、異常が有ると検出されたスキャンデータが送信された送信経路２０と異なる他の送信経路２０を使用して支持体２側に再送信する。【選択図】図１
2013063153.tif 000002
【特許請求の範囲】
【請求項１】
被検体の回りを回転する回転体とこの回転体を回転可能に支持する支持体とを有し、前記回転体に設けられたスキャンデータ取得部で取得した前記被検体のスキャンデータを前記回転体と前記支持体との間に設けられた複数の送信経路を使用して前記回転体側から前記支持体側に送信する画像診断装置において、
前記回転体に設けられて前記スキャンデータを保存するスキャンデータ保存部と、
前記支持体側で受信した前記スキャンデータの異常の有無を検出する異常有無検出部と、
前記異常有無検出部が前記スキャンデータに異常が有ることを検出した場合、前記スキャンデータ保存部に保存された前記スキャンデータであって異常が有ることを検出された前記スキャンデータに対応付けられた前記スキャンデータを前記スキャンデータ保存部から呼び出し、呼び出した前記スキャンデータを異常が有ることを検出された前記スキャンデータが送信された前記送信経路と異なる他の前記送信経路を使用して前記支持体側に再送信する再送信部と、
を備えることを特徴とする画像診断装置。
【請求項２】
前記異常有無検出部が前記スキャンデータに異常が無いことを検出した場合、前記スキャンデータ保存部に保存された前記スキャンデータであって異常が無いことを検出された前記スキャンデータに対応付けられた前記スキャンデータを前記スキャンデータ保存部から消去するスキャンデータ消去部を備えることを特徴とする請求項１記載の画像診断装置。
【請求項３】
前記異常有無検出部が前記スキャンデータに異常が有ることを検出した場合、異常が有ることを検出された前記スキャンデータが送信された前記送信経路を使用して送信された前記スキャンデータであって前記異常有無検出部での検出では異常が無いと検出された検出済みの前記スキャンデータを破棄する検出済スキャンデータ破棄部を有し、
前記再送信部は、前記スキャンデータ保存部に保存された前記スキャンデータであって、異常が検出された前記スキャンデータに対応付けられた前記スキャンデータと、前記検出済スキャンデータ破棄部により破棄された前記スキャンデータに対応付けられた前記スキャンデータとを前記スキャンデータ保存部から呼び出して再送信することを特徴とする請求項１記載の画像診断装置。
【請求項４】
前記支持体側に送信される前記スキャンデータに対して或る計算式に従った計算を行いその計算結果を送信される前記スキャンデータに添付する回転体側計算部と、前記支持体側で受信した前記スキャンデータに対して前記回転体側計算部での計算と同じ計算式に従った計算を行う支持体側計算部とが設けられ、
前記異常有無検出部は、前記回転体側計算部での計算結果と前記支持体側計算部での計算結果とが異なる場合に前記スキャンデータに異常が有ることを検出し、前記計算結果が同じ場合に前記スキャンデータに異常が無いことを検出することを特徴とする請求項１ないし３のいずれか一項に記載の画像診断装置。
【請求項５】
前記送信経路を送信される前記スキャンデータに、それぞれどの前記送信経路を送信されたかを示す送信経路情報を添付する送信経路情報添付部が設けられていることを特徴とする請求項１ないし４のいずれか一項に記載の画像診断装置。
【請求項６】
前記回転体に、前記被検体に対してＸ線を照射するＸ線管と、前記被検体を透過したＸ線を検出するスキャンデータ取得部であるＸ線検出器とが設けられていることを特徴とする請求項１ないし５のいずれか一項に記載の画像診断装置。
【請求項７】
被検体の回りを回転する回転体に設けられたスキャンデータ取得部により前記被検体のスキャンデータを取得するステップと、
取得した前記スキャンデータを前記回転体に設けられたスキャンデータ保存部に保存するステップと、
取得した前記スキャンデータを、前記回転体側からこの回転体を回転可能に支持する支持体側へこれらの前記回転体と前記支持体との間に設けられた複数の送信経路を使用して送信するステップと、
前記支持体側で受信した前記スキャンデータの異常の有無を検出するステップと、
前記支持体側で受信した前記スキャンデータに異常が有ることを検出した場合に、前記スキャンデータ保存部に保存された前記スキャンデータであって異常が有ることを検出された前記スキャンデータに対応付けられた前記スキャンデータを前記スキャンデータ保存部から呼び出し、呼び出した前記スキャンデータを異常が有ることを検出された前記スキャンデータが送信された前記送信経路と異なる他の前記送信経路を使用して前記支持体側に再送信するステップと、
を備えることを特徴とする画像診断装置のスキャンデータ送信方法。
【請求項８】
前記スキャンデータの異常の有無を検出する前記ステップで異常が無いことを検出された場合、前記スキャンデータ保存部に保存された前記スキャンデータであって異常が無いことを検出された前記スキャンデータに対応付けられた前記スキャンデータを前記スキャンデータ保存部から消去するステップを備えることを特徴とする請求項７記載の画像診断装置のスキャンデータ送信方法。
【請求項９】
前記スキャンデータの異常の有無を検出する前記ステップで異常が有ることを検出された場合、異常が有ることを検出された前記スキャンデータが送信された前記送信経路を使用して送信された前記スキャンデータであって異常の有無を検出する前記ステップでは異常が無いと検出された検出済みの前記スキャンデータを破棄するステップを有し、
前記スキャンデータを再送信する前記ステップでは、前記スキャンデータ保存部に保存された前記スキャンデータであって、異常が有ると検出された前記スキャンデータに対応付けられた前記スキャンデータと、前記ステップにおいて破棄された前記スキャンデータに対応付けられた前記スキャンデータとを前記スキャンデータ保存部から呼び出して再送信することを特徴とする請求項７記載の画像診断装置のスキャンデータ送信方法。
【発明の詳細な説明】
【技術分野】
【０００１】
本発明の実施形態は、画像診断装置及び画像診断装置のスキャンデータ送信方法に関する。
【背景技術】
【０００２】
近年、被検体の検出画像を得る画像診断装置として、Ｘ線ＣＴ装置やＰＥＴ（Positron
Emission Tomography）−ＣＴ装置等が普及している。これらの画像診断装置は、Ｘ線管とＸ線検出器とを保持して被検体の回りを回転する回転体と、この回転体を回転可能に支持する支持体とを有し、Ｘ線管から照射されて被検体を透過したＸ線をＸ線検出器で検出することにより被検体のスキャンデータを取得している。
【０００３】
回転体と支持体との間には、Ｘ線検出器で取得した被検体のスキャンデータを支持体側に設けられている画像処理部に送信するための複数の送信経路が設けられている。この送信経路としては、光通信や無線通信などの手法を用いた非接触タイプのものが一般化している。
【０００４】
このような送信経路において故障などの不具合が発生すると、その不具合が発生した送信経路を使用して送信されたスキャンデータに異常が発生する。そして、送信経路の不具合が送信経路の一部で発生した場合であっても、スキャンデータを取得するためのスキャンが停止されていた。
【０００５】
そこで、下記特許文献１に記載されたように、送信経路の一部で故障などの不具合が発生した場合、不具合が発生していない他の送信経路を用いてスキャンデータの送信を行うようにした画像診断装置が提案されている。
【先行技術文献】
【特許文献】
【０００６】
【特許文献１】特開２００５−２５３６２７号公報
【発明の概要】
【発明が解決しようとする課題】
【０００７】
しかしながら、特許文献１に記載された画像診断装置においては、送信経路の一部で不具合が発生した場合、回転体の回転速度を遅くしたり、使用するＸ線検出器の検出素子列数を減らしたりする縮退運転モードに切替えてスキャンを継続するため、得られる被検体の検出画像の品質が低下している。
【０００８】
本発明が解決しようとする課題は、回転体と支持体との間に設けられてスキャンデータが送信される送信経路の一部に故障などの不具合が発生し、その送信経路を送信されたスキャンデータに異常が発生した場合において、スキャンを停止させることがなく、しかも、得られる被検体の検出画像の品質を維持することができる画像診断装置及び画像診断装置のスキャンデータ送信方法を提供することである。
【課題を解決するための手段】
【０００９】
実施形態の画像診断装置は、被検体の回りを回転する回転体とこの回転体を回転可能に支持する支持体とを有し、回転体に設けられたスキャンデータ取得部で取得した被検体のスキャンデータを回転体と支持体との間に設けられた複数の送信経路を使用して回転体側から支持体側に送信する画像診断装置において、回転体に設けられてスキャンデータを保
存するスキャンデータ保存部と、支持体側で受信したスキャンデータの異常の有無を検出する異常有無検出部と、異常有無検出部がスキャンデータに異常が有ることを検出した場合、スキャンデータ保存部に保存されたスキャンデータであって異常が有ることを検出されたスキャンデータに対応付けられたスキャンデータをスキャンデータ保存部から呼び出し、呼び出したスキャンデータを異常が有ることを検出されたスキャンデータが送信された送信経路と異なる他の送信経路を使用して支持体側に再送信する再送信部と、を備える。
【図面の簡単な説明】
【００１０】
【図１】第１の実施形態のＸ線ＣＴ装置における制御部の構成を示すブロック図である。
【図２】第１の実施形態におけるスキャンデータ送信方法を説明するフローチャートである。
【図３】第２の実施形態のＸ線ＣＴ装置における制御部の構成を示すブロック図である。
【図４】第２の実施形態におけるスキャンデータ送信方法を説明するフローチャートである。
【発明を実施するための形態】
【００１１】
（第１の実施形態）
本発明の第１の実施形態を図１及び図２に基づいて説明する。図１は、第１の実施形態の画像診断装置であるＸ線ＣＴ装置における制御部の構成を示すブロック図である。このＸ線ＣＴ装置は、寝台（図示せず）上に載置された被検体（図示せず）の回りを回転する回転体１と、回転体１を回転可能に支持する支持体２とを備えている。
【００１２】
回転体１には、被検体に対してＸ線を照射するＸ線管３と、被検体を透過したＸ線を検出することにより被検体のスキャンデータを取得するスキャンデータ取得部であるＸ線検出器４と、Ｘ線検出器４で取得したスキャンデータを保存するスキャンデータ保存部５と、回転体１側の各部を制御する回転体側制御部６とが設けられている。スキャンデータ保存部５に保存されたスキャンデータは、一定長さごとに分割されている。
【００１３】
支持体２には、Ｘ線検出器４で取得されたスキャンデータに基づいて被検体の検出画像を作成する画像処理部７と、支持体２側の各部を制御する支持体側制御部８とが設けられている。
【００１４】
回転体側制御部６には、制御のための各種演算等を行うメイン制御部９と、支持体２側の支持体側制御部８との間でスキャンデータや各種信号の送受信を行う回転体側送受信部１０と、支持体側制御部８に送信されるスキャンデータに対して或る計算式に従った計算を行いその計算結果を送信されるスキャンデータに添付する回転体側計算部１１と、送信経路情報添付部１２と、スキャンデータ消去部１３と、再送信部１４とが設けられている。
【００１５】
支持体側制御部８に送信されるスキャンデータは、一定長さごとに分割されている。送信されるスキャンデータの分割長さと、スキャンデータ保存部５に保存されるスキャンデータの分割長さとは同じ長さであり、即ち、スキャンデータ保存部５には支持体側制御部８に送信されたスキャンデータと同じものが保存されている。スキャンデータ保存部５に保存されたスキャンデータと支持体側制御部８に送信されたスキャンデータとの同じものには、目印となる情報が添付されて対応付けられている。送信経路情報添付部１２とスキャンデータ消去部１３と再送信部１４とについては、後から説明する。
【００１６】
支持体側制御部８には、制御のための各種演算等を行うメイン制御部１５と、回転体１側の支持体側制御部８との間でスキャンデータや各種信号の送受信を行う支持体側送受信部１６と、支持体側送受信部１６で受信したスキャンデータに対して回転体側計算部１１での計算と同じ計算式に従った計算を行う支持体側計算部１７と、支持体側送受信部１６で受信したスキャンデータの異常の有無を検出する異常有無検出部１８とが設けられている。
【００１７】
異常有無検出部１８では、回転体側計算部１１での計算結果と支持体側計算部１７での計算結果とを比較し、その計算結果が異なる場合にはスキャンデータに異常が有ることを検出し、その計算結果が同じ場合にはスキャンデータに異常が無いことを検出する。異常有無検出部１８がスキャンデータに異常があることを検出した場合は、支持体側制御部８から回転体側制御部６に対して異常検出信号が送信される。一方、異常有無検出部１８がスキャンデータに異常が無いことを検出した場合は、支持体側制御部８から回転体側制御部６に対して異常無し信号が送信される。
【００１８】
また、支持体側制御部８には、Ｘ線ＣＴ装置の操作部１９が接続されている。操作部１９では、Ｘ線ＣＴ装置を駆動させて被検体の検出画像を得るための各種操作が行われ、その操作に応じた信号が操作部１９から支持体側制御部８に送信される。
【００１９】
回転体側送受信部１０と支持体側送受信部１６との間には、複数の送信経路２０が設けられている。これらの送信経路２０を用いて、回転体側送受信部１０と支持体側送受信部１６との間でスキャンデータや各種信号の送受信が行われる。
【００２０】
回転体側制御部６に設けられている送信経路情報添付部１２は、スキャンデータが送信経路２０を送信される場合、そのスキャンデータがどの送信経路２０を送信されたかを示す送信経路情報を送信される各スキャンデータに添付する。支持体側制御部８で受信されたスキャンデータに送信経路情報が添付されていることにより、異常有無検出部１８でスキャンデータに異常が有ることを検出された場合、そのスキャンデータに添付されている送信経路情報を見ることにより、そのスキャンデータがどの送信経路２０を送信されたかを容易に知ることができる。
【００２１】
回転体側制御部６に設けられているスキャンデータ消去部１３は、支持体側制御部８で受信したスキャンデータに異常が無いことが異常有無検出部１８で検出され、支持体側制御部８から回転体側制御部６に異常無し信号が送信された場合、スキャンデータ保存部５に保存されたスキャンデータであって異常が無いことを検出されたスキャンデータに対応付けられたスキャンデータを、スキャンデータ保存部５から消去する。
【００２２】
回転体側制御部６に設けられている再送信部１４は、支持体側制御部８で受信したスキャンデータに異常が有ることを異常有無検出部１８が検出し、支持体側制御部８から回転体側制御部６に異常検出信号が送信された場合、スキャンデータ保存部５に保存されたスキャンデータであって異常が有ることを検出されたスキャンデータに対応付けられたスキャンデータをスキャンデータ保存部５から呼び出し、呼び出したスキャンデータを支持体側制御部８に再送信する。この場合の再送信では、異常が有ることを検出されたスキャンデータが送信された送信経路２０と異なる他の送信経路２０が使用される。
【００２３】
図２は、第１の実施形態のＸ線ＣＴ装置におけるスキャンデータ送信方法について説明するフローチャートである。
【００２４】
操作部１９から支持体側制御部８に対してスキャン指示が行われると（ステップＳ１）、このスキャン指示に基づいて支持体側制御部８から回転体側制御部６へスキャン実行信
号が送信され（ステップＳ２）、スキャンが実行され（ステップＳ３）、スキャンデータが取得される。
【００２５】
スキャンデータが取得されると、取得されたスキャンデータはスキャンデータ保存部５に保存される（ステップＳ４）。スキャンデータ保存部５へのスキャンデータの保存は、スキャンデータを一定長さごとに分割して行われる。
【００２６】
また、取得されたスキャンデータは、スキャンデータ保存部５に保存するために分割された一定長さと同じ長さごとに支持体側制御部８に送信され、送信されるスキャンデータに対して異常検出のための或る計算式に従った計算が回転体側計算部１１で行われる（ステップＳ５）。
【００２７】
回転体側計算部１１での計算結果は送信されるスキャンデータに添付され、さらに、送信されるスキャンデータに対して送信される送信経路２０を示す送信経路情報が添付され、これらの計算結果と送信経路情報とが添付されたスキャンデータが支持体側制御部８に送信される（ステップＳ６）。
【００２８】
スキャンデータが支持体側制御部８で受信されると、受信したスキャンデータに対し、回転体側計算部１１での計算と同じ計算式に従った異常検出のための計算が支持体側計算部１７で行われる（ステップＳ７）。
【００２９】
支持体側計算部１７での計算が行われると、回転体側計算部１１で計算された計算結果と、支持体側計算部１７で計算された計算結果とが同じであるか否かが異常有無検出部１８で検出される（ステップＳ８）。回転体側計算部１１での計算結果と支持体側計算部１７での計算結果とが異なる場合には、異常有無検出部１８は、支持体側制御部８で受信したスキャンデータに異常が有ることを検出する。一方、回転体側計算部１１での計算結果と支持体側計算部１７での計算結果とが同じである場合には、異常有無検出部１８は、支持体側制御部８で受信したスキャンデータに異常が無いことを検出する。このスキャンデータの異常は、送信経路２０の一部に故障などの不具合が発生し、スキャンデータがその不具合が発生した送信経路２０を送信されたことが原因となって発生する場合が多い。
【００３０】
異常有無検出部１８が、スキャンデータに異常が有ることを検出した場合には（ステップＳ８のＮＯ）、支持体側制御部８から回転体側制御部６に対して異常検出信号が送信される（ステップＳ９）。
【００３１】
回転体側制御部６に異常検出信号が送信されると、回転体側制御部６では、異常が有ることを検出されたスキャンデータに対応付けられているスキャンデータがスキャンデータ保存部５から呼び出される（ステップＳ１０）。呼び出されたスキャンデータに対しては、ステップＳ５での計算が行われ、この計算結果と支持体側制御部８に送信される場合に使用される送信経路２０の送信経路情報とが添付され、支持体側制御部８に送信（再送信）される（ステップＳ６）。この場合、異常が有ることを検出されたスキャンデータが送信された送信経路２０と異なる他の送信経路２０を使用して再送信される。支持体側制御部８に再送信されたスキャンデータに対しては、ステップＳ７の支持体側計算部１７での計算が行われ、ステップＳ８の異常有無検出部１８による異常の有無の検出が行われる。
【００３２】
異常有無検出部１８がスキャンデータに異常が無いことを検出した場合には（ステップＳ８のＹＥＳ）、スキャンデータに異常が無いことを示す異常無し信号が支持体側制御部８から回転体側制御部６に送信される（ステップＳ１１）。
【００３３】
回転体側制御部６に異常無し信号が送信されると、回転体側制御部６では、スキャンデ
ータ保存部５に保存されたスキャンデータであって異常が無いことを検出されたスキャンデータに対応付けられたスキャンデータがスキャンデータ消去部１３により消去される（ステップＳ１２）。
【００３４】
その後、スキャンが終了したか否かが検出され（ステップＳ１３）、スキャンが終了しない場合にはステップＳ３に戻り、スキャンが終了した場合には一連のスキャンデータ送信が終了する。
【００３５】
このような構成において、Ｘ線検出器４で取得された被検体のスキャンデータは、スキャンデータ保存部５に保存されるとともに、送信経路２０を使用して支持体側制御部８に送信され、画像処理部７で画像処理が行われる。なお、送信されたスキャンデータとスキャンデータ保存部５に保存されたスキャンデータとには同じものが存在し、同じもの同士はそれぞれ対応付けられている。
【００３６】
ここで、送信経路２０を使用して支持体側制御部８に送信されたスキャンデータにおいて、送信経路２０の不具合が原因となって異常が発生する場合があり、このスキャンデータの異常は支持体側制御部８の異常有無検出部１８で検出される。異常有無検出部１８でスキャンデータに異常が有ることを検出された場合には、支持体側制御部８から回転体側制御部６に対して異常検出信号が送信される。この異常検出信号が送信されると、スキャンデータ保存部５に保存されたスキャンデータであって異常が有ることを検出されたスキャンデータに対応付けられたスキャンデータがスキャンデータ保存部５から呼び出され、呼び出されたスキャンデータが支持体側制御部８に再送信され、再送信されたスキャンデータを用いて画像処理部７で画像処理が行われる。再送信されるスキャンデータは、異常が有ることを検出されたスキャンデータが送信された送信経路２０と異なる他の送信経路２０を使用して送信される。このため、再送信されたスキャンデータにおいて送信経路２０の不具合が原因となる異常の発生を防止することができる。
【００３７】
したがって、送信経路２０の一部に不具合が発生したために支持体側制御部８に送信されたスキャンデータに異常が発生しても、被検体のスキャンを停止させることなく、しかも、回転体１の回転速度を遅くしたり、使用するＸ線検出器４の検出素子列数を減らしたりすることなくスキャンを継続することができ、得られる被検体の検出画像の品質を維持することができる。
【００３８】
異常有無検出部１８では、支持体側制御部８で受信したスキャンデータについて、回転体側計算部１１で行われた計算結果と支持体側計算部１７で行われた計算結果とを比較し、計算結果が異なる場合にスキャンデータに異常が有ることを検出し、計算結果が同じ場合にはスキャンデータに異常が無いことを検出する。このため、スキャンデータの異常の有無の検出を容易に行うことができる。
【００３９】
回転体側制御部６から支持体側制御部８へ送信経路２０を使用して送信されるスキャンデータには、そのスキャンデータがどの送信経路２０を使用して送信されたかを示す送信経路情報が添付されている。このため、スキャンデータに異常が有ることを検出された場合、そのスキャンデータがどの送信経路２０を使用して送信されたかを容易に確認することができ、スキャンデータの再送信時には異常が有ることを検出されたスキャンデータが送信された送信経路２０と異なる他の送信経路２０を確実に使用することができる。
【００４０】
支持体側制御部８で受信されたスキャンデータについて、異常が無いことを異常有無検出部１８が検出した場合には、支持体側制御部８から回転体側制御部６へ異常無し信号が送信される。この異常無し信号が送信された場合には、回転体側制御部６では、スキャンデータ保存部５に保存されたスキャンデータであって異常が無いことを検出されたスキャ
ンデータに対応付けられたスキャンデータがスキャンデータ消去部１３により消去される。このため、スキャンデータ保存部５の記憶容量を小さくすることができ、小型で安価なスキャンデータ保存部５を使用することができる。
【００４１】
（第２の実施形態）
本発明の第２の実施形態を図３及び図４に基づいて説明する。なお、図１及び図２において説明した構成要素と同じ構成要素には同じ符号を付け、重複する説明は省略する。
【００４２】
第２の実施形態と第１の実施形態との基本的構成は同じであり、異なる点は、異常有無検出部１８によりスキャンデータに異常が有ることを検出された場合において、スキャンデータ保存部５から再送信されるスキャンデータの内容である。
【００４３】
図３は、第２の実施形態のＸ線ＣＴ装置における制御部の構成を示すブロック図である。このＸ線ＣＴ装置は、被検体（図示せず）の回りを回転する回転体１Ａと、回転体１Ａを回転可能に支持する支持体２Ａとを備えている。
【００４４】
回転体１Ａには、Ｘ線管３と、Ｘ線検出器４と、スキャンデータ保存部５と、回転体１Ａ側の各部を制御する回転体側制御部６Ａとが設けられている。
【００４５】
支持体２Ａには、画像処理部７と、支持体２Ａ側の各部を制御する支持体側制御部８Ａとが設けられている。
【００４６】
回転体側制御部６Ａには、メイン制御部９と、回転体側送受信部１０と、回転体側計算部１１と、送信経路情報添付部１２と、再送信部１４Ａとが設けられている。再送信部１４Ａについては後から説明する。
【００４７】
支持体側制御部８Ａには、メイン制御部１５と、支持体側送受信部１６と、支持体側計算部１７と、異常有無検出部１８と、検出済スキャンデータ破棄部２１とが設けられている。
【００４８】
検出済スキャンデータ破棄部２１は、支持体側制御部８Ａで受信したスキャンデータに異常が有ることを異常有無検出部１８で検出した場合、その異常が検出されたスキャンデータが送信された送信経路２０を使用して送信されたスキャンデータであって、異常有無検出部１８による異常有無の検出時には異常が無いと検出された検出済みのスキャンデータを破棄する。
【００４９】
回転体側制御部６Ａに設けられている再送信部１４Ａは、異常有無検出部１８がスキャンデータに異常が有ることを検出した場合、スキャンデータ保存部５に保存されたスキャンデータであって異常が有ることを検出されたスキャンデータに対応付けられたスキャンデータに加え、検出済スキャンデータ破棄部２１によって破棄されたスキャンデータに対応付けられたスキャンデータをスキャンデータ保存部５から呼び出し、呼び出したスキャンデータを支持体側制御部８Ａに再送信する。この場合の再送信では、異常が有ることを検出されたスキャンデータが送信された送信経路２０と異なる他の送信経路２０が使用される。
【００５０】
図４は、第２の実施形態におけるＸ線ＣＴ装置のスキャンデータ送信方法について説明するフローチャートである。
【００５１】
ステップＳ１からステップＳ８までは、第１の実施形態と同様に行われる。ステップＳ８において、異常有無検出部１８がスキャンデータに異常が無いことを検出した場合には
（ステップＳ８のＹＥＳ）、スキャンデータに異常が無いことを示す異常無し信号が支持体側制御部８から回転体側制御部６に送信される（ステップＳ１１）。その後、スキャンが終了したか否かが検出され（ステップＳ１３）、スキャンが終了しない場合にはステップＳ３に戻り、スキャンが終了した場合には一連のスキャンデータの送信が終了する。
【００５２】
一方、ステップＳ８において、異常有無検出部１８がスキャンデータに異常が有ることを検出した場合には（ステップＳ８のＮＯ）、異常が有ることを検出されたスキャンデータが送信された送信経路２０を使用して支持体側制御部８Ａに送信されたスキャンデータであって異常有無の検出時には異常が無いと検出された検出済みのスキャンデータが、検出済スキャンデータ破棄部２１により破棄される（ステップＳ１４）。
【００５３】
ついで、支持体側制御部８Ａから回転体側制御部６Ａに対して異常検出信号が送信される（ステップＳ１５）。
【００５４】
回転体側制御部６Ａに異常検出信号が送信されると、スキャンデータ保存部５に保存されたスキャンデータであって異常が有ることを検出されたスキャンデータに対応付けられたスキャンデータに加え、検出済スキャンデータ破棄部２１により破棄されたスキャンデータに対応付けられたスキャンデータがスキャンデータ保存部５から呼び出される（ステップＳ１６）。
【００５５】
呼び出されたスキャンデータに対しては、ステップＳ５での計算が行われ、この計算結果と支持体側制御部８に送信される場合に使用される送信経路２０の送信経路情報とが添付され、支持体側制御部８に送信（再送信）される（ステップＳ６）。この場合、異常が有ることを検出されたスキャンデータが送信された送信経路２０と異なる他の送信経路２０を使用して再送信される。支持体側制御部８に再送信されたスキャンデータに対しては、ステップＳ７の支持体側計算部１７での計算が行われ、ステップＳ８の異常有無検出部１８による異常の有無の検出が行われる。
【００５６】
このような構成において、この第２の実施形態によれば、異常有無検出部１８によりスキャンデータに異常が有ることを検出され、スキャンデータ保存部５に保存されたスキャンデータを支持体側制御部８Ａに再送信する場合、異常が有ることを検出されたスキャンデータに対応付けられたスキャンデータのみでなく、異常が有ることを検出されたスキャンデータが送信された送信経路２０を使用して送信された検出済みのスキャンデータに対応付けられたスキャンデータも再送信される。
【００５７】
ここで、異常が有ることを検出されたスキャンデータが送信された送信経路２０を使用して送信され、異常有無の検出時には異常が無いと検出された検出済みのスキャンデータのなかには、異常が有ってもその異常が検出されなかった可能性がある。そこで、異常が有ることを検出されたスキャンデータが送信された送信経路２０を使用して送信され、異常が無いと検出された検出済みのスキャンデータを検出済スキャンデータ破棄部２１によって破棄する。そして、破棄したスキャンデータに対応付けられたスキャンデータをスキャンデータ保存部５から呼び出して再送信する。これにより、送信経路２０の不具合が原因となって異常が発生している可能性のあるスキャンデータを確実に排除することができ、信頼度の高い高品質の検出画像を得ることができる。
【００５８】
以上説明した各実施形態によれば、回転体１のスキャンデータ取得部であるＸ線検出器４で検出した被検体のスキャンデータを、回転体１を回転可能に支持する支持体２と回転体１との間に設けられた複数の送信経路２０を使用して回転体１側から支持体２側に送信し、支持体２側に送信されたスキャンデータに異常が有ることを検出した場合、回転体１に設けられたスキャンデータ保存部５に保存されたスキャンデータであって異常が検出さ
れたスキャンデータに対応付けられているスキャンデータを、異常が検出されたスキャンデータが送信された送信経路２０と異なる他の送信経路２０を使用して支持体２側に再送信することができる。これにより、送信経路２０の一部の不具合が原因で支持体２側に送信されたスキャンデータに異常が発生した場合でも、被検体のスキャンを停止させることがなく、しかも、回転体１の回転速度を遅くしたり、使用するＸ線検出器４の検出素子列数を減らしたりすることなくスキャンを継続でき、得られる被検体の検出画像の品質を維持することができる。
【００５９】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、様々の省略、置き換え、変更を行うことができる。これらの実施形態やその変更は、発明の範囲や要旨に含まれるとともに、特許請求の範囲に記載された発明とその均等の範囲に含まれる。
【符号の説明】
【００６０】
１      回転体
１Ａ    回転体
２      支持体
２Ａ    支持体
３      Ｘ線管
４      Ｘ線検出器、スキャンデータ取得部
５      スキャンデータ保存部
１１      回転体側計算部
１２      送信経路情報添付部
１３      スキャンデータ消去部
１４      再送信部
１４Ａ    再送信部
１７      支持体側計算部
１８      異常有無検出部
２０      通信経路
２１      検出済スキャンデータ破棄部
【図１】
2013063153.tif 000003
【図２】
2013063153.tif 000004
【図３】
2013063153.tif 000005
【図４】
2013063153.tif 000006